(57)【要約】      （修正有）【課題】洗浄機の上部に蓋部として洗浄液あるいは水すなわち流体の吹きかけを行う蓋流体収容室の下側の蓋部下面全体に複数配置したノズルを備えたことにより蓋部下面全体をパレットに対する洗浄範囲とする洗浄液吹きかけあるいは水吹きかけを行う流体吹きかけ手段を設けたこと、さらにエアータイマー部に蓋部の閉状態で流体吹きかけを通過させ蓋部の開状態では安全確保のため、流体吹きかけを遮断する流体吹きかけ制御手段を備えたフタ部全体降水式洗浄機を提供する。【解決手段】洗浄機本体の上部に蓋部３として洗浄液３０の吹きかけあるいは水の吹きかけを行う蓋流体収容室３ａの下側の蓋部下面３ｂ全体に複数配置したノズル３ｃと、さらにエアータイマー部１内にエアー伝達時間を制御するタイマーツマミ１ａおよび蓋部３の閉状態で流体吹きかけを通過させ蓋部３の開状態で流体吹きかけを遮断するバルブヘッド１ｆを備えたコントロールバルブ１ｅとで構成されている。【選択図】図４
0003181189.tif 000002
【実用新案登録請求の範囲】
【請求項１】
エアー伝達手段の伝達時間制御および蓋部の閉状態で流体吹きかけを通過させ蓋部の開状態で流体吹きかけを遮断する流体吹きかけ制御手段を有するエアータイマー部と、エアー駆動によって水より比重の小さい洗浄液および水の二層からなる流体の吸入・吐出を行う流体制御手段と、前記流体を伝達する流体伝達手段と、前記流体を吸入するストレーナーを上下に回動切換える切換手段と、洗浄されるパレットを収容するパレット収容室と、前記流体を収容する流体収容室と、前記流体制御手段であるポンプを収容するポンプ収容室と、前記流体収容室の下側に流体を排出する流体排出手段と、前記流体制御手段の内吐出による流体の吹きかけを行う蓋部内に蓋流体収容室の下面全体に複数配置したノズルを備えた流体吹きかけ手段を有するフタ部全体降水式洗浄機。
【考案の詳細な説明】
【技術分野】
【０００１】  本考案は、プリント基板に半導体・ＬＥＤ・電子部品を実装する為のハンダ槽ハンダ付けに使用される搬送治具をパレットと称している。このフラックス残渣が付着したパレットに対して洗浄液の吹きかけによる洗浄あるいは水の吹きかけによるすすぎ洗浄を行う洗浄機において、洗浄液あるいは水の吸入・吐出を行う流体制御手段であるポンプの駆動源がエアーとしたこと、水より比重の小さい洗浄液および水の二層からなる流体を使用し上層の洗浄液の吸込みと下層の水の吸込むストレーナーを上下に回動切換える切換手段を設けて、洗浄液の吹きかけによる洗浄と水の吹きかけによるすすぎ洗浄の流体を入れ換えることなく、洗浄液の吹きかけあるいは水の吹きかけを行う蓋流体収容室の下側の蓋部下面全体に縦方向および横方向に複数配置したノズルによる流体吹きかけ手段を設け、エアータイマー部にエアー伝達時間制御および蓋部の閉状態で流体吹きかけを通過させ蓋部の開状態で流体吹きかけを遮断する流体吹きかけ制御手段を設けたフタ部全体降水式洗浄機に関するものである。
【背景技術】
【０００２】  プリント基板に半導体・ＬＥＤ・電子部品を実装する為のハンダ槽ハンダ付けに使用されたフラックス残渣の付着したパレットに対してノズルの洗浄液吹きかけによる洗浄を行う洗浄機は、パレットを載置するための架台と、パレットに対して上方から洗浄液を吹きかけるための円筒形状ノズルと、パレットを洗浄した後の洗浄液を、貯蔵タンク・ポンプを介して、循環させるための洗浄液循環装置を備えており、円筒形状ノズルの洗浄液吹きかけでパレット洗浄を行う。この装置は、パレットに対する洗浄において、円筒形状ノズルの洗浄液吹きかけにより洗浄を行うため、洗浄液のみで行う洗浄機である。【０００３】  例えば、特開２００８−２９６０８５号公報によれば、パレットを載置するための架台と、パレットに対して上方から洗浄液を吹きかけるための円筒形状ノズルと、パレットを洗浄した後の洗浄液を、貯蔵タンク・ポンプを介して、循環させるための洗浄液循環装置を備えている洗浄機が開示されている。この洗浄機では、上方から円筒形状ノズルにより、その下の架台に載置されたパレットに洗浄液を吹きかけパレットの洗浄を行う。そして架台の下方にパレットを洗浄した後の洗浄液をろ過するためのシート状ろ過材を設けている。その下に貯蔵タンク・ポンプからなる洗浄液循環装置を設け、洗浄液を循環しながらパレットを洗浄している。つまり、この洗浄機で上方から円筒形状ノズルによる洗浄範囲が限定される為、パレット全体を洗浄範囲としてカバー出来ず、パレットに付着したフラックス残渣が除去されない部分を生じてしまうことになる。【０００４】  一般にプリント基板に半導体・ＬＥＤ・電子部品を実装する為のハンダ槽ハンダ付けに使用されたフラックス残渣の付着したパレットに対して円筒形状ノズルの洗浄液吹きかけによる洗浄を行う洗浄機は、上方から円筒形状ノズルによる洗浄範囲が限定される為、この洗浄機で洗浄された洗浄範囲がパレット全体をカバー出来ず、パレットに付着したフラックス残渣が除去されない部分を生じてしまうという問題があった。
【先行技術文献】
【特許文献】
【０００５】
【特許文献１】特開２００８−２９６０８５号公報
【考案の概要】
【考案が解決しようとする課題】
【０００６】  プリント基板に半導体・ＬＥＤ・電子部品を実装する為のハンダ槽ハンダ付けに使用されたフラックス残渣の付着したパレットに対して円筒形状ノズルの洗浄液吹きかけによる洗浄を行う洗浄機として、パレットを載置するための架台と、パレットに対して上方から洗浄液を吹きかけるための円筒形状ノズルと、パレットを洗浄した後の洗浄液を、貯蔵タンク・ポンプを介して、循環させるための洗浄液循環装置を備えている洗浄機が開示されている。この洗浄機では、上方から円筒形状ノズルにより、その下の架台に載置されたパレットに洗浄液を吹きかけパレットの洗浄を行う。そして架台の下方にパレットを洗浄した後の洗浄液をろ過するためのシート状ろ過材を設けている。その下に貯蔵タンク・ポンプからなる洗浄液循環装置を設け、洗浄液を循環しながらパレットを洗浄している。このように、洗浄液のみを循環しながらパレットを洗浄している洗浄機である。つまり、この洗浄機の上方から洗浄液を吹きかけるための円筒形状ノズルにより洗浄されたパレットは、この円筒形状ノズルの洗浄範囲が限定される為パレット全体を洗浄範囲としてカバー出来ず、パレットに付着したフラックス残渣が除去されない部分を生じてしまうことになる。【０００７】  本考案は、上記課題に鑑みてなされたものであり、その目的は、上部に洗浄液あるいは水すなわち流体の吹きかけを行う蓋流体収容室の下側の蓋部下面全体に複数配置したノズルを備えたことにより蓋部下面全体をパレットに対する洗浄範囲とする洗浄液吹きかけあるいは水吹きかけを行う流体吹きかけ手段を設けたこと、さらにエアータイマー部に蓋部の閉状態で流体吹きかけを通過させ蓋部の開状態では安全確保のため、流体吹きかけを遮断する流体吹きかけ制御手段を備えたフタ部全体降水式洗浄機を提供することである。
【課題を解決するための手段】
【０００８】  本考案のフタ部全体降水式洗浄機は、洗浄機本体の上部に蓋部と、パレット収容室と、洗浄機本体の上下の中間部に水より比重の小さい洗浄液および水の二層からなる流体を収容する流体収容室と、洗浄機本体の下部にポンプ収容室と、流体収容室の側面に上層の洗浄液の吸込みと下層の水の吸込むストレーナーを上下に回動切換えるホルダと、洗浄機本体の右側面にエアー伝達時間を制御する伝達時間制御および蓋部の閉状態で流体吹きかけを通過させ蓋部の開状態で流体吹きかけを遮断する流体吹きかけ制御手段を有するエアータイマー部と、ポンプ収容室に洗浄液あるいは水の吸入・吐出を行う流体制御手段であるポンプの駆動源がエアーとしたポンプと、流体収容室の下端側面に排水バルブと、エアータイマー部を介してポンプまでのエアーの供給を伝達するエアーホースと、洗浄液あるいは水の吸込みを伝達する吸入ホースと、洗浄液あるいは水の吐出を伝達する吐出ホースで構成されている。この蓋部では、洗浄液の吹きかけあるいは水の吹きかけを行う蓋流体収容室の下側の蓋部下面全体に複数配置したノズルによる流体吹きかけ手段で構成されている。
【考案の効果】
【０００９】  本考案のフタ部全体降水式洗浄機は、パレットに対する洗浄液の吹きかけによる洗浄あるいは水の吹きかけによるすすぎ洗浄を蓋流体収容室の下側の蓋部下面全体に複数配置したノズルによる流体吹きかけ手段によって行うことで、フラックス残渣の付着したパレットに対する洗浄範囲がパレット全体をカバー出来るのでパレットからフラックス残渣を完全に除去できる。また、エアータイマー部に蓋部の閉状態で洗浄液あるいは水の吹きかけを通過させ蓋部の開状態で洗浄液あるいは水の吹きかけを遮断する流体吹きかけ制御手段であるバルブヘッドを備えたコントロールバルブを設けている。その為、蓋部の開状態で洗浄液あるいは水の吹きかけを遮断でき、フタ部全体降水式洗浄機としての安全が確保できることになる。
【図面の簡単な説明】
【００１０】
【図１】  本考案の実施の形態における蓋部閉状態の流体吹きかけ手段作動時のフタ部全体降水式洗浄機を概略的に示した断面図である。
【図２】  本考案の実施の形態における蓋部の流体吹きかけ手段を概略的に示した拡大断面図である。
【図３】  図２のＡ−Ａ断面図である。
【図４】  図１の上部拡大図である。
【図５】  図４の蓋開状態を示した図である。
【図６】  比較例におけるパレット洗浄機の説明をするために概略的に示した図である。
【考案を実施するための形態】
【００１１】以下、本考案の実施の形態について図に基づいて説明する。
（実施の形態）
本考案の実施の形態の構成について説明する。
【００１２】  図１では、本考案のフタ部全体降水式洗浄機は、洗浄機本体１０の上部にパレット収容室１０ｄ、洗浄機本体１０の上下の中間部に水より比重の小さい洗浄液３０および水３１の二層からなる流体を収容する流体収容室１０ｃ、洗浄機本体１０の下部にポンプ収容室１０ｅ、流体収容室１０ｃの側面に上層の洗浄液の吸込みと下層の水の吸込むストレーナー２３を上下に回動切換えるホルダ２０、エアータイマー部１、パレット収容室１０ｄの上側の蓋流体収容室３ａの下側の蓋部下面３ｂ全体に複数配置したノズル３ｃによる洗浄液３０あるいは水３１の吹きかけを行う蓋部３からなる構成の蓋部閉状態の流体吹きかけ手段作動時が図示されている。また図２では、蓋部３の流体吹きかけ手段が図示されている。図３では、図２のＡ−Ａ断面が図示されている。図４では、蓋部閉状態における流体吹きかけを通過させるバルブヘッド１ｆを備えたコントロールバルブ１ｅによる流体吹きかけ制御が拡大図示されている。図５では、蓋部開状態における流体吹きかけを遮断するバルブヘッド１ｆを備えたコントロールバルブ１ｅによる流体吹きかけ制御が拡大図示されている。
【００１３】  図１に示されている様に、洗浄機本体１０の上下の中間部に下部の流体収容室下板１０ａと上部の流体収容室上板１０ｂからなる流体収容室１０ｃを設けている。この流体収容室１０ｃに水より比重の小さい洗浄液３０（例えば、荒川化学工業株式会社製、パインアルファ３５０ＶＦ：比重０．７６）と水３１（比重１．０）を収容する。比重の大小による軽重の関係から、上層が洗浄液３０で下層が水３１となる。そして洗浄機本体１０の上部のパレット収容室１０ｄの底部仕切りとなる流体収容室上板１０ｂは、パンチングメタル形状としている。パレット収容室１０ｄの上側に蓋部３閉状態で蓋流体収容室３ａの下側の蓋部下面３ｂ全体に複数配置したノズル３ｃによる洗浄液３０の吹きかけあるいは水３１の吹きかけを行う。洗浄機本体１０の下部のポンプ収容室１０ｅにポンプ２を取り付けている。次に動作のエアーの流れについて説明する。エアーコンプレッサーの供給源９と接続したエアーホース７をエアータイマー吸気口１ｂに接続し、エアータイマー部１のタイマーツマミ１ａにより伝達時間を制御する。そしてエアータイマー排気口１ｃとポンプ吸気口２ａをエアーホース７で接続してポンプ２がエアーの吸気とポンプ排気口２ｂからの排気によって洗浄液あるいは水すなわち流体の吸入、吐出の制御を行う。次に動作の流体の流れについて説明する。流体収容室１０ｃの上層の洗浄液３０の右側に、吸込むストレーナー２３をストレーナー用継手２２と接続してホルダレバー２１付きホルダ２０に取り付けている。このストレーナー２３を上下に回動切換えるホルダレバー２１付きホルダ２０に吸込ホース６ａの端面を接続し、もう一方の端面とポンプ吸入口２ｃを接続する。ポンプ吐出口２ｄと継手４と連結部３ｄを吐出ホース６ｂで接続して、蓋部３の蓋流体収容室３ａの下側の蓋部下面３ｂ全体に複数配置したノズル３ｃより洗浄液３０の吹きかけが行われる。そしてパレット収容室１０ｄのパレット８に対して吹きかけられた洗浄液は流体収容室上板１０ｂを通過して  流体収容室１０ｃの上層の洗浄液３０に戻り再びストレーナー２３により吸入され、ポンプ吸入口２ｃ、ポンプ吐出口２ｄを通過して洗浄液３０の吹きかけが再び繰り返し行われる。最初、流体収容室１０ｃには、水より比重の小さい洗浄液３０と水３１の二層となっている。パレット収容室１０ｄのパレット８に対する洗浄液３０の吹きかけを繰返すことで、汚れ成分３２と不純物３３が発生する。この汚れ成分３２は、パレット８上に残ったフラックスの反応物であり、比重が０．７６＜汚れ成分＜１．０となり洗浄液３０と水３１との間に層を形成している。また、不純物３３は、パレット８のハンダ付けに使用された残渣の鉛フリーハンダ合金のスズがフラックスのロジンや有機酸と反応して生成される水に不溶な白色の金属塩であり、比重が１．０＜不純物となり水３１の下に層を形成することになる。水吸込み時の水３１の層に吸込むストレーナー２３を、回動切換えるホルダ２０のホルダレバー２１を下向きに設定して行う。また、流体収容室１０ｃの洗浄液３０、汚れ成分３２、水３１、不純物３３の交換時期においては、流体収容室下板１０ａが右下がりの傾斜となっており右下端に排水バルブ５��設けて、ハンドル５ａを回して別容器へ排水を行うことになる。このように、蓋部３の蓋流体収容室３ａの下側の蓋部下面３ｂ全体に複数配置したノズル３ｃより洗浄液３０の吹きかけが行われるので、パレット収容室１０ｄのパレット８全体に対する洗浄範囲をカバーができるので、パレットに付着したフラックス残渣が完全に除去されることになる。
【００１４】  図２に示されている様に、洗浄液３０あるいは水３１が吐出ホース６ｂを通過し継手４さらに連結部３ｄを通過して蓋流体口３ｅから蓋流体収容室３ａに収容される。この蓋流体収容室３ａの下側の蓋部下面３ｂ全体に複数配置したノズル３ｃから洗浄液３０あるいは水３１がパレット８（図１参照）に向けて吹きかけ洗浄あるいはすすぎ洗浄を行う。また蓋部３の開閉は、取手３ｇを持って行う。
【００１５】  図３に示されている様に、図２のＡ−Ａ断面図で継手４の中を洗浄液３０あるいは水３１が通過して、さらに連結部３ｄを通過して蓋流体口３ｅより蓋流体収容室３ａに供給される。そして蓋流体収容室３ａの下側の蓋部下面３ｂ全体に縦方向および横方向にノズル３ｃを複数配置している。従って蓋部下面３ｂの真下のパレット収容室１０ｄのパレット８（図１参照）全体をカバーする洗浄範囲で、ノズル３ｃより勢いよく洗浄液３０あるいは水３１が吹きかけられ洗浄あるいはすすぎ洗浄が行われている。また蓋部３に蝶番３ｆを設けているので蓋部３が開閉可能となっている。
【００１６】  図４に示されている様に、蓋部３閉状態における洗浄液３０あるいは水３１すなわち流体吹きかけを通過させるバルブヘッド１ｆを備えたコントロールバルブ１ｅによる流体吹きかけ制御が拡大図示されている。この動作のエアーの流れについて説明する。エアーコンプレッサーの供給源９と接続したエアーホース７をエアータイマー吸気口１ｂに接続している。そしてエアータイマー部１において、エアーバルブレバー１ｄ１がＯＮ状態かつタイマーツマミ１ａ作動時間設定済状態の時、コントロールバルブ１ｅに備えたバルブヘッド１ｆが蓋部３閉状態のヘッド押部３ｈに押されているのでコントロールバルブ１ｅ内の流通可能となっている。したがってエアーがエアーバルブ１ｄよりコントロール上流ホース１ｇ、コントロールバルブ１ｅ（流通可能）、コントロール下流ホース、タイマーツマミ１ａそしてエアータイマー排気口１ｃを流通することになる。よって、吐出ホース６ｂ内の洗浄液３０が継手４、連結部３ｄ、蓋流体口３ｅ、蓋流体収容室３ａを通過して蓋部下面３ｂ全体に複数配置されたノズル３ｃから勢いよく真下のパレット収容室１０ｄのパレット８全体に対して吹きかけられ洗浄あるいはすすぎ洗浄を行っている。
【００１７】  図５に示されている様に、蓋部３開状態における洗浄液あるいは水すなわち流体吹きかけを遮断させるバルブヘッド１ｆを備えたコントロールバルブ１ｅによる流体吹きかけ制御が拡大図示されている。この動作のエアーの流れについて説明する。エアーコンプレッサーの供給源９と接続したエアーホース７をエアータイマー吸気口１ｂに接続している。そしてエアータイマー部１において、エアーバルブレバー１ｄ１がＯＮ状態かつタイマーツマミ１ａ作動時間設定済状態の時、蓋部３開状態では、蓋部３のヘッド押部３ｈが上へあがっている為、コントロールバルブ１ｅに備えたバルブヘッド１ｆが解除され上へあがった状態となりコントロールバルブ１ｅ内の流通不可となってエアーが遮断される。従って蓋部３開状態の時は、安全の為、洗浄液あるいは水すなわち流体吹きかけを遮断する流体吹きかけ制御手段であるバルブヘッド１ｆを備えたコントロールバルブ１ｅを設けている。
【００１８】  次に、本実施の形態の作用効果について比較例と比較して説明する。
図６に示されている様に、比較例は、本実施の形態と比較して、パレットを載置するための架台４１と、パレットに対して上方から洗浄液を吹きかけるための円筒形状ノズル４２と、パレットを洗浄した後の洗浄液４３を、貯蔵タンク４４を介して、循環させるための洗浄液循環装置４６を備えている。この洗浄機４０では、上方から円筒形状ノズル４２により、その下の架台４１に載置されたパレットに洗浄液４３を吹きかけパレットの洗浄を行う。そして架台４１の下方にパレットを洗浄した後の洗浄液をろ過するためのシート状ろ過材４７を設けている。その下に貯蔵タンク４４・ポンプ４５からなる洗浄液循環装置４６を設け、洗浄液４３を循環しながらパレットを洗浄している。このように、洗浄液４３のみを循環しながらパレットを洗浄している洗浄機４０である。この洗浄機４０で洗浄されたパレットには、この洗浄機４０の上方から洗浄液４３を吹きかけるための円筒形状ノズル４２により洗浄される。この円筒形状ノズル４２の洗浄範囲が限定される為、パレット全体に対する洗浄範囲をカバーできず、パレットに付着したフラックス残渣が除去されない部分を生じてしまうことになる。
【００１９】  これに対して、本実施の形態によれば、本考案のフタ部全体降水式洗浄機は、パレット８に対する洗浄液３０の吹きかけによる洗浄あるいは水３１の吹きかけによるすすぎ洗浄を蓋流体収容室３ａの下側の蓋部下面３ｂ全体に縦方向および横方向にノズル３ｃを複数配置したノズル３ｃによる洗浄液あるいは水すなわち流体の吹きかけを行うことで、真下のフラックス残渣の付着したパレット８に対する洗浄範囲がパレット全体をカバーできるのでパレット８からフラックス残渣を完全に除去できることになる。また、エアータイマー部１に蓋部３の閉状態で洗浄液３０あるいは水３１の吹きかけを通過させる流体吹きかけ制御手段であるエアーを通過させるバルブヘッド１ｆを備えたコントロールバルブ１ｅを設けている。すなわち蓋部３の閉状態で、バルブヘッド１ｆが蓋部３のヘッド押部３ｈにバルブヘッド１ｆが押され、バルブヘッド１ｆＯＮ状態のコントロールバルブ１ｅによるエアー通過の制御を行っている。蓋部３の開状態で洗浄液３０あるいは水３１流体吹きかけを遮断する流体吹きかけ制御手段であるエアーを遮断させるコントロールバルブ１ｅとバルブヘッド１ｆによる流体吹きかけ制御を行っている。すなわち蓋部３の開状態で、蓋部３のヘッド押部３ｈが上へあがり、バルブヘッド１ｆがヘッド押部３ｈの押圧から解除されて上へあがりバルブヘッド１ｆＯＦＦ状態で、コントロールバルブ１ｅによるエアー遮断の制御を行っている。その為、蓋部３の開状態では洗浄液３０あるいは水３１の吹きかけを遮断でき、フタ部全体降水式洗浄機としての安全が確保できる。
【産業上の利用可能性】
【００２０】  本考案は、パレットに対する洗浄液の吹きかけによる洗浄および水の吹きかけによるすすぎ洗浄を行う洗浄機に特に有利に適用され得る。
【符号の説明】
【００２１】  １  エアータイマー部、１ａ  タイマーツマミ、１ｂ  エアータイマー吸気口、１ｃ  エアータイマー排気口、１ｄ  エアーバルブ、１ｄ１  エアーバルブレバー、１ｅ  コントロールバルブ、１ｆ  バルブヘッド、１ｇ  コントロール上流ホース、１ｈ  コントロール下流ホース、２  ポンプ、２ａ  ポンプ吸気口、２ｂ  ポンプ排気口、２ｃ  ポンプ吸入口、２ｄ  ポンプ吐出口、３  蓋部、３ａ  蓋流体収容室、３ｂ  蓋部下面、３ｃ  ノズル、３ｄ  連結部、３ｅ  蓋流体口、３ｆ  蝶番、３ｇ  取手、３ｈ  ヘッド押部、４  継手、５  排水バルブ、５ａ  ハンドル、６ａ  吸入ホース、６ｂ  吐出ホース、７  エアーホース、８  パレット、９  エアーコンプレッサーの供給源、１０  洗浄機本体、１０ａ  流体収容室下板、１０ｂ  流体収容室上板、１０ｃ  流体収容室、１０ｄ  パレット収容室、１０ｅ  ポンプ収容室、２０  ホルダ、２１  ホルダレバー、２２  ストレーナー用継手、２３  ストレーナー、３０  洗浄液、３１  水、３２  汚れ成分、３３  不純物、４０  洗浄機、４１  架台、４２  円筒形状ノズル、４３  洗浄液、４４  貯蔵タンク、４５  ポンプ、４６  洗浄液循環装置、４７  シート状ろ過材、
【図１】
0003181189.tif 000003
【図２】
0003181189.tif 000004
【図３】
0003181189.tif 000005
【図４】
0003181189.tif 000006
【図５】
0003181189.tif 000007
【図６】
0003181189.tif 000008